(57)【要約】【課題】コアに対して押圧部材を位置決めできるトランス構成体を提供する。【解決手段】トランス構成体２０は、コア２３、コア２３に巻回された一次側巻線２１、及びコア２３に巻回された二次側巻線を有するトランス１５と、一次側巻線２１と間接的に接続された放熱部材１７とを備える。放熱部材１７は、コア２３を押圧する押圧部材１８に形成された凹部１８ａと係合される凸部３５ｃを有する。【選択図】図１
2020194884.tif 000002
【特許請求の範囲】
【請求項１】
コア、前記コアに巻回された一次側巻線、及び前記コアに巻回された二次側巻線を有するトランスと、
前記一次側巻線及び前記二次側巻線の少なくとも一方と直接又は間接的に接続された放熱部材と、
を備えるトランス構成体であって、
前記放熱部材は、前記コアを押圧する押圧部材に形成された第１係合部と係合される第２係合部を有することを特徴とするトランス構成体。
【請求項２】
前記放熱部材は、前記第２係合部を複数有する請求項１に記載のトランス構成体。
【請求項３】
前記トランスは、前記一次側巻線及び前記二次側巻線の少なくとも一方を支持する支持プレートを有し、
前記支持プレートは、ハーネスをガイドするガイド部を有する請求項１又は請求項２に記載のトランス構成体。
【発明の詳細な説明】
【技術分野】
【０００１】
本発明は、トランスと放熱部材とを有するトランス構成体に関する。
【背景技術】
【０００２】
トランスは、発熱するため、ケースに収容される場合、ケースに熱を逃がす方法が知られている。
特許文献１に開示されたトランスのように、第１巻線と第２巻線とが、第１及び第２巻線の軸線方向に重なるように配置されたトランスの場合、ケースの底面側に位置する巻線は、ケースとの距離が近いため、容易にケースに熱を逃がすことができる。一方、ケースの底面側に位置する巻線上に配置される巻線は、ケースとの距離が遠いため、容易にケースに熱を逃がすことができない。そこで、放熱部材を介してケースに熱を逃がす方法が知られている。
【０００３】
ところで、トランスのコアの振動を抑制する方法として、コアを押圧する押圧部材を設ける方法が知られている。押圧部材は、コアを挟んでケースの壁部とは反対側に配置される。押圧部材がコアを壁部に向けて押圧することで、コアは押圧部材とケースの壁部との間で挟まれる。これにより、コアの振動が抑制される。
【先行技術文献】
【特許文献】
【０００４】
【特許文献１】特開２００４−３０３８５７号公報
【発明の概要】
【発明が解決しようとする課題】
【０００５】
押圧部材は、コアに対して位置がずれると、コアに対する押圧力が不十分になることで、コアの振動を十分に抑制できなくなる虞がある。このため、コアに対する押圧部材の位置ずれの抑制が望まれている。
【０００６】
そこで、例えば、コアが、コアを収容するケースに対して位置決めされている場合、ケースに対して押圧部材を位置決めすることで、コアに対して押圧部材を位置決めすることが考えられる。この場合、ケースと押圧部材を位置決めするための部材をケースに設ける必要があり、ケースが大きくなってしまう。
【０００７】
本発明は、上記課題を解決するためになされたものであり、その目的は、コアに対して押圧部材を位置決めできるトランス構成体を提供することにある。
【課題を解決するための手段】
【０００８】
上記問題点を解決するためのトランス構成体は、コア、前記コアに巻回された一次側巻線、及び前記コアに巻回された二次側巻線を有するトランスと、前記一次側巻線及び前記二次側巻線の少なくとも一方と直接又は間接的に接続された放熱部材と、を備えるトランス構成体であって、前記放熱部材は、前記コアを押圧する押圧部材に形成された第１係合部と係合される第２係合部を有することを要旨とする。
【０００９】
これによれば、一次側巻線及び二次側巻線の少なくとも一方と直接又は間接的に接続された放熱部材に第２係合部が設けられているため、第１係合部と第２係合部とを係合することで、コアに対して押圧部材を位置決めできる。
【００１０】
また、上記トランス構成体について、前記放熱部材は、前記第２係合部を複数有するのが好ましい。
これによれば、放熱部材に対して押圧部材が回動することが抑制される。よって、コアに対して押圧部材が回動することを抑制できる。
【００１１】
また、上記トランス構成体について、前記トランスは、前記一次側巻線及び前記二次側巻線の少なくとも一方を支持する支持プレートを備え、前記支持プレートは、ハーネスをガイドするガイド部を有するのが好ましい。
【００１２】
これによれば、ハーネスが所望の方向に延びるように、支持プレートによってハーネスをガイドすることができる。
【発明の効果】
【００１３】
本発明によれば、コアに対して押圧部材を位置決めできるトランス構成体を提供することができる。
【図面の簡単な説明】
【００１４】
【図１】ＤＣ−ＤＣコンバータの平面図。
【図２】ＤＣ−ＤＣコンバータの断面図。
【図３】一次側巻線及び支持プレートの斜視図。
【図４】放熱部材及び押圧部材の分解斜視図。
【発明を実施するための形態】
【００１５】
以下、本実施形態のトランス構成体を備えたＤＣ−ＤＣコンバータ１０について図１〜図４を使って説明する。
図１及び図２に示すように、ＤＣ−ＤＣコンバータ１０は、金属製のケース１１を備える。本実施形態のケース１１は、アルミニウム製である。ケース１１は、有底筒状のケース本体１１ａと、ケース本体１１ａの開口部を閉塞する図示しない蓋部とを有する。
【００１６】
図２に示すように、ケース本体１１ａは、底壁１２から開口部に向けて突出する円柱状のボス１３を有する。ボス１３の先端面にはねじ穴１３ｈが形成されている。また、ケース本体１１ａは、底壁１２に凹設された収容部１２ａを有する。
【００１７】
ＤＣ−ＤＣコンバータ１０は、図示しない一次側回路基板、二次側回路基板１４、及びトランス１５を備える。一次側回路基板、二次側回路基板１４、及びトランス１５は、ケース本体１１ａに収容されている。
【００１８】
二次側回路基板１４は、絶縁製のベース板１４ａを有する。ベース板１４ａには、ボス挿通孔１４ｂとコア挿通孔１４ｃとが形成されている。一次側回路基板及び二次側回路基板１４は、各々の板厚方向が底壁１２からのボス１３の突出方向と一致する状態でケース本体１１ａに収容されている。底壁１２のボス１３は、二次側回路基板１４のボス挿通孔１４ｂに挿通される。
【００１９】
トランス１５は、一次側巻線２１と、二次側巻線２２と、コア２３とを有する。
本実施形態のトランス１５は、降圧回路を構成する。
図３に示すように、本実施形態の一次側巻線２１は、表面が絶縁処理された導線が複数回巻回されることにより形成される。一次側巻線２１は、一層の渦巻き状である。一次側巻線２１は、図示しない一次側回路基板に形成された一次側回路と電気的に接続されている。
【００２０】
本実施形態では、一次側巻線２１は、樹脂製の支持プレート２４によって支持されている。よって、本実施形態のトランス１５は、一次側巻線２１を支持する支持プレート２４を有する。支持プレート２４は、コア挿通孔２４ｈが形成された円板状の支持部２４ａを有する。一次側巻線２１は、コア挿通孔２４ｈを取り囲むように位置する。支持プレート２４は、支持部２４ａの外周縁にガイド部２５を有する。ガイド部２５は、支持部２４ａの外周縁と連続するとともに支持部２４ａの径方向外側に延びる延出部２５ａと、延出部２５ａから支持部２４ａの板厚方向に立設された一対のガイド片２５ｂとを有する。
【００２１】
図２に示すように、本実施形態の二次側巻線２２は、二次側回路基板１４のベース板１４ａの両面に形成された導体パターンである。二次側巻線２２は、コア挿通孔１４ｃを取り囲むように位置している。二次側巻線２２は、ベース板１４ａに形成された図示しない二次側回路と電気的に接続されている。一次側巻線２１、支持プレート２４の支持部２４ａ、二次側巻線２２、及び二次側回路基板１４のベース板１４ａの一部は、巻線構造体２６を構成している。
【００２２】
図１に示すように、二次側回路基板１４の二次側回路と、図示しない制御回路基板の制御回路とは、ハーネス１６によって電気的に接続されている。ハーネス１６は、電線を有する電線部１６ａと、電線の一端に接続された第１接続部１６ｂと、電線の他端に接続された図示しない第２接続部とを有する。第１接続部１６ｂは、二次側回路基板１４に接続され、第２接続部は、制御回路基板に接続されている。
【００２３】
図２に示すように、一次側巻線２１及び二次側巻線２２は、支持プレート２４が間に介在した状態で積層されている。一次側巻線２１及び二次側巻線２２が積層される方向を積層方向とする。一次側巻線２１及び二次側巻線２２は、積層方向が底壁１２からのボス１３の突出方向と一致する状態でケース本体１１ａに収容されている。一次側巻線２１は、二次側巻線２２を挟んで底壁１２とは反対側に位置している。つまり、一次側巻線２１は、ケース本体１１ａの開口部側に位置し、二次側巻線２２は、底壁１２側に位置している。二次側巻線２２と底壁１２との間には、第１絶縁シートＳ１が介在している。第１絶縁シートＳ１の一方の面は二次側巻線２２に接触し、第１絶縁シートＳ１の他方の面は底壁１２に接触している。第１絶縁シートＳ１は、二次側巻線２２と底壁１２とを絶縁する。
【００２４】
また、本実施形態の第１絶縁シートＳ１は、熱伝導性に優れた材料によって形成されており、絶縁機能の他に放熱機能も有している。このため、二次側巻線２２が発熱すると、二次側巻線２２の熱は第１絶縁シートＳ１に伝わり、第１絶縁シートＳ１に伝わった熱は底壁１２に伝わる。つまり、二次側巻線２２の熱は、第１絶縁シートＳ１を介してケース１１に放熱される。このように二次側巻線２２の熱が第１絶縁シートＳ１を介して底壁１２に伝わる状態を、二次側巻線２２と底壁１２とが間接的に接続されているという。
【００２５】
コア２３は、第１コア部材２３ａ及び第２コア部材２３ｂを有する。本実施形態では、第１コア部材２３ａはＥ型コアであり、第２コア部材２３ｂはＩ型コアである。第１コア部材２３ａは、基部２３０と、基部２３０から突出する第１〜第３脚部２３１〜２３３とを有する。第１脚部２３１は、第２脚部２３２と第３脚部２３３との間に位置する。基部２３０は、積層方向において一次側巻線２１を挟んで二次側巻線２２とは反対側に配置されている。第１脚部２３１は、支持プレート２４のコア挿通孔２４ｈ及び二次側回路基板１４のコア挿通孔１４ｃに挿通されている。よって、一次側巻線２１及び二次側巻線２２はそれぞれ、コア２３の第１脚部２３１に巻回されている。一次側巻線２１と二次側巻線２２とは、一次側巻線２１及び二次側巻線２２それぞれの軸線方向に重なるように配置されている。
【００２６】
第２コア部材２３ｂは、積層方向において二次側巻線２２を挟んで一次側巻線２１とは反対側に配置されている。第２コア部材２３ｂは、底壁１２の収容部１２ａに収容されている。第１コア部材２３ａは、第１〜第３脚部２３１〜２３３が第２コア部材２３ｂと当接する状態で第２コア部材２３ｂに固定されている。コア２３は、第２コア部材２３ｂが底壁１２の収容部１２ａに収容されることにより、底壁１２に対して位置決めされている。
【００２７】
ＤＣ−ＤＣコンバータ１０は、金属製の放熱部材１７を備える。本実施形態の放熱部材１７は、アルミニウム製である。放熱部材１７は、ケース本体１１ａに収容されている。放熱部材１７は、トランス１５とともにトランス構成体２０を構成している。
【００２８】
図４に示すように、放熱部材１７は、四角枠状の枠部３０を有する。枠部３０は、第１部位３１と、第１部位３１と平行な第２部位３２と、第１部位３１の一端部と第２部位３２の一端部とを接続する第３部位３３と、第１部位３１の他端部と第２部位３２の他端部とを接続するとともに第３部位３３と平行な第４部位３４とを有する。
【００２９】
放熱部材１７は、第１部位３１に形成された第１プレート部３５と、第２部位３２に形成された第２プレート部３６とを有する。第１プレート部３５及び第２プレート部３６の板厚方向は、枠部３０の軸線方向と一致している。第１プレート部３５及び第２プレート部３６はそれぞれ、枠部３０の内側に位置する内側部位３５ａ，３６ａと、枠部３０の外側に位置する外側部位３５ｂ，３６ｂとを有する。また、放熱部材１７は、第２部位３２から延出する２つの取付脚３７を有する。各取付脚３７には、ボルト挿通孔３７ｈが形成されている。
【００３０】
第１プレート部３５の外側部位３５ｂには、ボルト挿通孔３５ｈが形成されている。第１プレート部３５は、外側部位３５ｂから突出する凸部３５ｃを有する。本実施形態の第１プレート部３５は、２つの凸部３５ｃを有する。各凸部３５ｃは、円柱状である。２つの凸部３５ｃは、ボルト挿通孔３５ｈを挟む位置に配置されている。
【００３１】
図１及び図２に示すように、放熱部材１７は、巻線構造体２６を挟んで底壁１２とは反対側に配置されている。コア２３は、第１部位３１と第２部位３２との間に配置されるとともに、第３部位３３及び第４部位３４は、コア２３を跨るように配置されている。
【００３２】
図２に示すように、第１プレート部３５と一次側巻線２１との間には、第２絶縁シートＳ２が介在している。また、第２絶縁シートＳ２は、図示しないが、第２プレート部３６と一次側巻線２１との間にも介在している。第２絶縁シートＳ２の一方の面は、第１プレート部３５及び第２プレート部３６と接触し、第２絶縁シートＳ２の他方の面は、一次側巻線２１と接触している。第２絶縁シートＳ２は、一次側巻線２１と放熱部材１７とを絶縁する。
【００３３】
また、本実施形態の第２絶縁シートＳ２は、熱伝導性に優れた材料によって形成されており、絶縁機能の他に放熱機能も有している。このため、一次側巻線２１が発熱すると、一次側巻線２１の熱は第２絶縁シートＳ２に伝わり、第２絶縁シートＳ２に伝わった熱は放熱部材１７に伝わる。このように一次側巻線２１の熱が第２絶縁シートＳ２を介して放熱部材１７に伝わる状態を、一次側巻線２１と放熱部材１７とが間接的に接続されているという。また、第１プレート部３５における凸部３５ｃが突出する面とは反対側の面は、ボス１３の先端面と接触している。このため、放熱部材１７の熱はボス１３に伝わる。このように放熱部材１７の熱がボス１３に直接伝わる状態を、放熱部材１７とボス１３とが直接接続されているという。これにより、一次側巻線２１の熱は、第２絶縁シートＳ２及び放熱部材１７を介して、ケース１１に放熱されるようになっている。
【００３４】
第１プレート部３５のボルト挿通孔３５ｈは、ボス１３のねじ穴１３ｈと連通する。２つの凸部３５ｃは、積層方向において一次側巻線２１とは反対側に向けて突出する。
図１に示すように、放熱部材１７は、各取付脚３７のボルト挿通孔３７ｈに挿通された第１ボルトＢ１が底壁１２に形成された図示しないねじ穴に螺合されることにより、ケース本体１１ａに接触した状態で固定される。このため、放熱部材１７の熱は底壁１２に伝わる。このように放熱部材１７の熱が底壁１２に直接伝わる状態を、放熱部材１７と底壁１２とが直接接続されているという。これによっても、一次側巻線２１の熱は、第２絶縁シートＳ２及び放熱部材１７を介してケース１１に放熱されるようになっている。
【００３５】
図４に示すように、ＤＣ−ＤＣコンバータ１０は、コア２３を押圧する押圧部材１８を備える。本実施形態の押圧部材１８は、ステンレス製である。また、本実施形態の押圧部材１８は、長方形状の板ばねである。押圧部材１８の長手方向の一端部には、ボルト挿通孔１８ｈが形成されている。また、押圧部材１８は、縁部が凹設された凹部１８ａを有する。本実施形態の押圧部材１８は、２つの凹部１８ａを有する。押圧部材１８を板厚方向から見たとき、各凹部１８ａは略半円状である。２つの凹部１８ａは、ボルト挿通孔１８ｈを挟む位置に配置されている。
【００３６】
押圧部材１８は、放熱部材１７の第１プレート部３５を挟んで巻線構造体２６とは反対側に配置されている。図１に示すように、押圧部材１８の各凹部１８ａは、第１プレート部３５の各凸部３５ｃと係合されている。詳しくは、第１プレート部３５の各凸部３５ｃの外周面の一部が各凹部１８ａを形成する面と対向する状態で、各凸部３５ｃの一部は各凹部１８ａに収容されている。よって、押圧部材１８の各凹部１８ａは第１係合部であり、放熱部材１７の各凸部３５ｃは各凹部１８ａと係合される第２係合部である。各凸部３５ｃと各凹部１８ａとが係合されることで、押圧部材１８は放熱部材１７に対して位置決めされる。
【００３７】
図２に示すように、押圧部材１８が放熱部材１７に対して位置決めされることにより、押圧部材１８のボルト挿通孔１８ｈは、放熱部材１７のボルト挿通孔３５ｈと連通する。これにより、放熱部材１７のボルト挿通孔３５ｈ及び押圧部材１８のボルト挿通孔１８ｈは、ボス１３のねじ穴１３ｈと連通する。ボルト挿通孔３５ｈ，１８ｈに挿通された第２ボルトＢ２がボス１３のねじ穴１３ｈに螺合されることで、放熱部材１７及び押圧部材１８はケース本体１１ａに位置決めされる。
【００３８】
押圧部材１８の長手方向におけるボルト挿通孔１８ｈが形成される端部とは反対側の端部は、コア２３における枠部３０の内側に位置する部分を底壁１２に向けて押圧する。コア２３は、押圧部材１８と底壁１２との間で積層方向に挟持される。よって、コア２３の振動が抑制される。
【００３９】
図１に示すように、トランス構成体２０を積層方向から見たとき、支持プレート２４のガイド部２５は、放熱部材１７の第１プレート部３５からはみ出している。ハーネス１６の電線部１６ａは、ガイド部２５の一対のガイド片２５ｂの間を通過している。
【００４０】
本実施形態の作用について説明する。
放熱部材１７は、第１ボルトＢ１及び第２ボルトＢ２によって底壁１２に固定されることにより、ケース本体１１ａに位置決めされている。コア２３は、底壁１２の収容部１２ａに収容されることにより、ケース本体１１ａに位置決めされている。この状態において、放熱部材１７は、第２絶縁シートＳ２を介してコア２３と間接的に接続されている。言い換えると、放熱部材１７は、コア２３に対して位置決めされている。押圧部材１８は、各凹部１８ａを放熱部材１７の各凸部３５ｃに対して係合することで放熱部材１７に対して位置決めされる。これにより、押圧部材１８は、コア２３に対して位置決めされる。
【００４１】
本実施形態の効果について説明する。
（１）押圧部材１８の各凹部１８ａと、コア２３に対して位置決めされた放熱部材１７が有する各凸部３５ｃとは、係合している。したがって、押圧部材１８は、放熱部材１７を介してコア２３に対して位置決めされる。よって、コア２３が収容されるケース本体１１ａにはケース本体１１ａと押圧部材１８を位置決めするための部材が不要になる。その結果、トランス構成体２０を収容するケース１１を大型化させることなく、コア２３に対して押圧部材１８を位置決めできるトランス構成体２０を提供することができる。
【００４２】
（２）放熱部材１７は、２つの凸部３５ｃを有する。押圧部材１８は、２つの凹部１８ａを有する。このため、放熱部材１７に対して押圧部材１８が回動することが抑制される。よって、コア２３に対して押圧部材１８が回動することを抑制できる。
【００４３】
（３）トランス１５は、一次側巻線２１を支持する支持プレート２４を備える。支持プレート２４は、ハーネス１６をガイドするガイド部２５を有する。これにより、ハーネス１６が所望の方向に延びるように、支持プレート２４によってハーネス１６をガイドすることができる。
【００４４】
本実施形態は、以下のように変更して実施することができる。本実施形態及び変更例は、技術的に矛盾しない範囲で互いに組み合わせて実施することができる。
○  トランス構成体２０は、ＤＣ−ＤＣコンバータ以外の他の機器に用いられてもよい。
【００４５】
○  トランス１５は、降圧回路ではなく昇圧回路に使用されてもよい。トランス１５を昇圧回路に使用する場合は、二次側巻線２２の巻数を一次側巻線２１の巻数よりも多くすればよい。例えば、金属パターンによって一次側巻線２１を形成し、表面が絶縁処理された導電線を複数回巻回して二次側巻線２２を形成してもよい。二次側巻線２２は、支持プレート２４によって支持されてもよい。
【００４６】
○  放熱部材１７は、一次側巻線２１と接触する状態で配置されていてもよい。この場合、一次側巻線２１の熱は放熱部材１７に直接伝わる。このように一次側巻線２１の熱が放熱部材１７に直接伝わる状態を、一次側巻線２１と放熱部材１７とが直接接続されているという。
【００４７】
○  一次側巻線２１の熱が放熱部材１７に伝わるように一次側巻線２１と放熱部材１７とを間接的に接続する部材は、第２絶縁シートＳ２に限定されず、例えば、熱伝導性に優れた材料を含む接着剤であってもよい。
【００４８】
○  押圧部材１８は、ステンレス製に限定されない。押圧部材１８は、コア２３を押圧可能な強度があれば、他の材料によって形成されていてもよい。
○  押圧部材１８は、長方形状の板ばねに限定されない。押圧部材１８は、コア２３を押圧可能であれば、他の形状であってもよい。
【００４９】
○  一次側巻線２１と二次側巻線２２とは、一次側巻線２１及び二次側巻線２２の軸線方向に重なるように配置されていなくてもよい。例えば、一次側巻線２１と二次側巻線２２とは、コア２３の異なる脚部に巻回されていてもよい。この場合、一次側巻線２１と二次側巻線２２とは、脚部が並ぶ方向において隣り合うように配置される。
【００５０】
○  一次側巻線２１は、一次側回路と並列接続された第１巻線部及び第２巻線部を有する構成であってもよい。一次側巻線２１及び二次側巻線２２は、例えば、二次側巻線２２が第１巻線部と第２巻線部との間に位置するように積層され、放熱部材は、第１巻線部及び第２巻線部の少なくとも一方と直接又は間接的に接続される。
【００５１】
○  二次側巻線２２は、二次側回路と並列接続された第１巻線部及び第２巻線部を有する構成であってもよい。一次側巻線２１及び二次側巻線２２は、例えば、一次側巻線２１が第１巻線部と第２巻線部との間に位置するように積層され、放熱部材は、第１巻線部及び第２巻線部の少なくとも一方と直接又は間接的に接続される。
【００５２】
○  トランス１５は、一次側巻線２１が底壁１２側に位置し、二次側巻線２２がケース本体１１ａの開口側に位置するようにケース本体１１ａに収容されていてもよい。この場合、一次側巻線２１は、ケース１１の底壁１２との距離が近いため、一次側巻線２１の熱は、絶縁シートを介してケース１１に放熱されてもよい。一方、二次側巻線２２は、ケース１１の底壁１２との距離が遠いため、二次側巻線２２の熱は、放熱部材１７を介してケース１１に放熱される。放熱部材１７は、二次側巻線２２を挟んで一次側巻線２１とは反対側に配置される。なお、放熱部材１７は、二次側巻線２２と直接接続されていてもよいし、間接的に接続されていてもよい。
【００５３】
○  トランス構成体２０は、一次側巻線２１と直接又は間接的に接続された第１の放熱部材と、二次側巻線２２と直接又は間接的に接続された第２の放熱部材とを備えていてもよい。
【００５４】
○  一次側巻線２１と直接又は間接的に接続された放熱部材１７は、二次側巻線２２にも直接又は間接的に接続されていてもよい。つまり、トランス構成体２０は、一次側巻線２１及び二次側巻線２２の両方と直接又は間接的に接続された放熱部材を備えていてもよい。
【００５５】
○  放熱部材１７は、アルミニウム製に限定されない。放熱部材１７は、一次側巻線２１及び二次側巻線２２の少なくとも一方の熱を放熱させることができれば、他の金属製であってもよい。
【００５６】
○  放熱部材１７とケース本体１１ａとの間には、例えば絶縁シートが介在していてもよい。この場合、放熱部材１７の熱は、絶縁シートを介してケース本体１１ａに伝わる。つまり、放熱部材１７とケース本体１１ａとは間接的に接続されていてもよい。
【００５７】
○  第１係合部及び第２係合部の数はそれぞれ、２に限定されず、１でもよいし、３以上でもよい。
○  押圧部材１８から突出した凸部を第１係合部とするとともに、放熱部材１７に形成された凹部を第２係合部としてもよい。
【００５８】
○  押圧部材１８の各凹部１８ａを孔に代えてもよい。放熱部材１７の各凸部３５ｃは、押圧部材１８の孔に挿入されることで孔と係合される。
○  凸部３５ｃの形状は、円柱状に限定されず、例えば四角柱状であってもよい。また、凹部１８ａの形状は、半円形状に限定されず、例えば矩形状であってもよい。凸部３５ｃの外周面の一部が直線部を有するとともに、凹部１８ａの内周面の一部が凸部３５ｃの直線部と対向する直線部を有する場合、１つの凸部３５ｃと１つの凹部１８ａとの係合だけで、コア２３に対する押圧部材１８の回動を規制できる。
【００５９】
○  押圧部材１８は、第２ボルトＢ２によってケース本体１１ａに固定されていなくてもよい。例えば、押圧部材１８と放熱部材１７とを接着剤を使って固定してもよい。すなわち、第２ボルトＢ２は、放熱部材１７のみを底壁１２に固定するためのものであってもよい。
【００６０】
○  放熱部材１７は、トランス１５の熱をケース１１に放熱させるとともに、コア２３に対して位置決めされているのであれば、底壁１２に対して固定されていなくてもよい。
○  コア２３の一部が底壁１２の収容部１２ａに収容される以外の方法によって、ケース１１に対してコア２３が位置決めされていてもよい。
【００６１】
○  一次側巻線２１と二次側巻線２２との絶縁が確保されるのであれば、支持プレート２４を省略してもよい。
○  支持プレート２４は、一次側巻線２１及び二次側巻線２２の両方を支持してもよい。ただし、一次側巻線２１と二次側巻線２２との絶縁は確保されるものとする。
【００６２】
○  支持プレート２４からガイド部２５を省略してもよい。
【符号の説明】
【００６３】
１５…トランス、１６…ハーネス、１７…放熱部材、１８…押圧部材、１８ａ…第１係合部としての凹部、２０…トランス構成体、２１…一次側巻線、２２…二次側巻線、２３…コア、２４…支持プレート、２５…ガイド部、３５ａ…第２係合部としての凸部。
【図１】
2020194884.tif 000003
【図２】
2020194884.tif 000004
【図３】
2020194884.tif 000005
【図４】
2020194884.tif 000006